【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１のセルについての第１のインデックスの構成を受信することと、ここにおいて、前記第１のインデックスは、ダウンリンク制御情報（ＤＣＩ）メッセージ内における第１の位置にマッピングされる、
サブフレーム内において前記ＤＣＩメッセージを受信することと、
前記第１のインデックスおよび前記ＤＣＩメッセージに基づいて、前記第１のセルについてのアップリンク（ＵＬ）／ダウンリンク（ＤＬ）サブフレーム構成のインジケーションを決定することと、
前記第１のセルについての前記決定されたＵＬ／ＤＬサブフレーム構成に基づいて、前記第１のセルと通信することと
を備える、方法。
【請求項２】
第２のセルについての第２のインデックスの構成を受信すること、ここにおいて、前記第２のインデックスは、前記第１のインデックスと同じである、をさらに備える、請求項１に記載の方法。
【請求項３】
第２のセルについての第２のインデックスの構成を受信すること、ここにおいて、前記第１のインデックスおよび前記第２のインデックスは、異なる、をさらに備える、請求項１に記載の方法。
【請求項４】
前記ＵＥについての、前記第１のセルを含む、複数のセルの構成を受信すること、ここにおいて、前記複数のセルは、プライマリセルおよび少なくとも１つのセカンダリセルを備える、をさらに備える、請求項１に記載の方法。
【請求項５】
前記ＤＣＩメッセージは、共通検索スペース内において受信される、請求項１に記載の方法。
【請求項６】
前記ＤＣＩメッセージは、セル内のダウンリンクサブフレームのセブセット内における前記ＵＥによってモニタされる、請求項１に記載の方法。
【請求項７】
前記第１のセルは、動的に変化するＵＬ／ＤＬサブフレーム構成をサポートする、請求項１に記載の方法。
【請求項８】
基地局（ＢＳ）によるワイヤレス通信のための方法であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成することと、
前記セルのグループのうちの少なくとも１つを使用して通信するように構成された少なくとも１つのＵＥに前記ＤＣＩメッセージを送信することと
を備える、方法。
【請求項９】
セルが動的に変化するＵＬ／ＤＬサブフレーム構成をサポートするかどうかを決定することと、
前記セルが前記動的に変化するＵＬ／ＤＬサブフレーム構成をサポートする場合に前記セルをセルのグループに割り当てることと
をさらに備える、請求項８に記載の方法。
【請求項１０】
同時に同じＵＬ／ＤＬサブフレーム構成を使用するために同じグループの全てのセルを構成することをさらに備える、請求項８に記載の方法。
【請求項１１】
第１のセルについての前記ＤＣＩメッセージ内における位置にマッピングされたインデックスで前記少なくとも１つのＵＥを構成することと、
第２のセルについての前記ＤＣＩメッセージ内における前記位置にマッピングされた前記インデックスを構成することと、ここにおいて、前記第１のセルおよび前記第２のセルは、同じグループのものである、
をさらに備える、請求項８に記載の方法。
【請求項１２】
前記ＤＣＩを送信することは、
各セルのグループの前記ＵＬ／ＤＬサブフレーム構成を示すために前記ＤＣＩ内における再構成インジケータを送信することを備える、請求項８に記載の方法。
【請求項１３】
第２のＵＥに前記ＤＣＩメッセージを送信すること、ここにおいて、前記第２のＵＥは、前記少なくとも１つのＵＥによってモニタされたセルのグループのセットとは異なるセルのグループのセットをモニタする、をさらに備える、請求項８に記載の方法。
【請求項１４】
ユーザ機器（ＵＥ）によるワイヤレス通信のための装置であって、
第１のセルについての第１のインデックスの構成を受信するための手段と、ここにおいて、前記第１のインデックスは、ダウンリンク制御情報（ＤＣＩ）メッセージ内における第１の位置にマッピングされる、
サブフレーム内において前記ＤＣＩメッセージを受信するための手段と、
前記第１のインデックスおよび前記ＤＣＩメッセージに基づいて、前記第１のセルについてのアップリンク（ＵＬ）／ダウンリンク（ＤＬ）サブフレーム構成のインジケーションを決定するための手段と、
前記第１のセルについての前記決定されたＵＬ／ＤＬサブフレーム構成に基づいて、前記第１のセルと通信するための手段と
を備える、装置。
【請求項１５】
基地局（ＢＳ）によるワイヤレス通信のための装置であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成するための手段と、
前記セルのグループのうちの少なくとも１つを使用して通信するように構成された少なくとも１つのＵＥに前記ＤＣＩメッセージを送信するための手段と
を備える、装置。
【手続補正２】
【補正対象書類名】明細書
【補正対象項目名】００９５
【補正方法】変更
【補正の内容】
【００９５】
[00106]先の説明は、いかなる当業者であっても、本明細書において説明された様々な態様を実施することを可能にするために提供される。これらの態様への様々な修正は、当業者にとって容易に明らかとなり、本明細書において定義された包括的な原理は、他の態様に適用されうる。このように、特許請求の範囲は、本明細書に示された態様に限定されるように意図されず、特許請求の範囲における文言と一致する全範囲を付与されるべきであり、ここにおいて、単数形での要素への言及は、そうであると具体的に記載されない限り、「１つおよび１つのみ」を意味するように意図されず、むしろ「１つまたは複数」を意味するように意図される。そうでないと具体的に記載されない限り、「何らかの／いくつかの／いくらかの（some）」という用語は、１つまたは複数を指す。当業者に知られている、または後に知られることとなる、本開示全体を通じて説明された様々な態様の要素と構造的および機能的に同等な物は全て、参照によって本明細書に明確に組み込まれ、特許請求の範囲によって包含されるように意図される。その上、本明細書におけるどの開示も、そのような開示が特許請求の範囲内において明示的に列挙されているかどうかにかかわらず、公に献呈されるように意図されるものではない。要素が「〜のための手段」というフレーズを使用して明確に列挙されない限り、どの請求項の要素もミーンズプラスファンクションとして解釈されるべきではない。
以下に、本願の出願当初の特許請求の範囲に記載された発明を付記する。
［Ｃ１］
ユーザ機器（ＵＥ）によるワイヤレス通信のための方法であって、
第１のセルについての第１のインデックスの構成を受信することと、ここにおいて、前記第１のインデックスは、ダウンリンク制御情報（ＤＣＩ）メッセージ内における第１の位置にマッピングされる、
サブフレーム内において前記ＤＣＩメッセージを受信することと、
前記第１のインデックスおよび前記ＤＣＩメッセージに基づいて、前記第１のセルについてのアップリンク（ＵＬ）／ダウンリンク（ＤＬ）サブフレーム構成のインジケーションを決定することと、
前記第１のセルについての前記決定されたＵＬ／ＤＬサブフレーム構成に基づいて、前記第１のセルと通信することと
を備える、方法。
［Ｃ２］
第２のセルについての第２のインデックスの構成を受信すること、ここにおいて、前記第２のインデックスは、前記第１のインデックスと同じである、をさらに備える、Ｃ１に記載の方法。
［Ｃ３］
前記第１のセルおよび前記第２のセルは、同じ周波数帯域のものである、Ｃ２に記載の方法。
［Ｃ４］
前記第１のセルおよび前記第２のセルは、同時に同じ前記ＵＬ／ＤＬサブフレーム構成を使用するように示される、Ｃ２に記載の方法。
［Ｃ５］
第２のセルについての第２のインデックスの構成を受信すること、ここにおいて、前記第１のインデックスおよび前記第２のインデックスは、異なる、をさらに備える、Ｃ１に記載の方法。
［Ｃ６］
前記第１のセルおよび前記第２のセルは、異なる周波数帯域のものである、Ｃ５に記載の方法。
［Ｃ７］
前記第１のインデックスおよび前記第２のインデックスは、隣接していない、Ｃ５に記載の方法。
［Ｃ８］
前記ＵＥについての、前記第１のセルを含む、複数のセルの構成を受信すること、ここにおいて、前記複数のセルは、プライマリセルおよび少なくとも１つのセカンダリセルを備える、をさらに備える、Ｃ１に記載の方法。
［Ｃ９］
前記プライマリセル上において送信された前記ＤＣＩメッセージに基づいて、前記複数のセルのうちの少なくとも２つについてのＵＬ／ＤＬサブフレーム構成を決定することをさらに備える、Ｃ８に記載の方法。
［Ｃ１０］
第２のＤＣＩメッセージを受信することと、前記少なくとも１つのセカンダリセル上において送信された前記第２のＤＣＩメッセージに基づいて、前記複数のセルのうちの少なくとも１つについてのＵＬ／ＤＬサブフレーム構成を決定することとをさらに備える、Ｃ８に記載の方法。
［Ｃ１１］
前記ＤＣＩメッセージは、共通検索スペース内において受信される、Ｃ１に記載の方法。
［Ｃ１２］
前記共通検索スペースは、１つまたは複数のセル内における前記ＵＥによってモニタされる、Ｃ１１に記載の方法。
［Ｃ１３］
前記ＤＣＩメッセージは、セル内のダウンリンクサブフレームのセブセット内における前記ＵＥによってモニタされる、Ｃ１に記載の方法。
［Ｃ１４］
前記第１のセルは、動的に変化するＵＬ／ＤＬサブフレーム構成をサポートする、Ｃ１に記載の方法。
［Ｃ１５］
基地局（ＢＳ）によるワイヤレス通信のための方法であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成することと、
前記セルのグループのうちの少なくとも１つを使用して通信するように構成された少なくとも１つのＵＥに前記ＤＣＩメッセージを送信することと
を備える、方法。
［Ｃ１６］
セルが動的に変化するＵＬ／ＤＬサブフレーム構成をサポートするかどうかを決定することと、
前記セルが前記動的に変化するＵＬ／ＤＬサブフレーム構成をサポートする場合に前記セルをセルのグループに割り当てることと
をさらに備える、Ｃ１５に記載の方法。
［Ｃ１７］
同時に同じ前記ＵＬ／ＤＬサブフレーム構成を使用するために同じ前記グループの全てのセルを構成することをさらに備える、Ｃ１５に記載の方法。
［Ｃ１８］
同じセルのグループ内において同じ周波数帯域の全てのセルを構成することをさらに備える、Ｃ１５に記載の方法。
［Ｃ１９］
第１のセルについての前記ＤＣＩメッセージ内における位置にマッピングされたインデックスで前記少なくとも１つのＵＥを構成することと、
第２のセルについての前記ＤＣＩメッセージ内における前記位置にマッピングされた前記インデックスを構成することと、ここにおいて、前記第１のセルおよび前記第２のセルは、同じグループのものである、
をさらに備える、Ｃ１５に記載の方法。
［Ｃ２０］
前記ＤＣＩを送信することは、
各セルのグループの前記ＵＬ／ＤＬサブフレーム構成を示すために前記ＤＣＩ内における再構成インジケータを送信することを備える、Ｃ１５に記載の方法。
［Ｃ２１］
第１のセルのグループおよび第２のセルのグループは、異なる周波数帯域のものである、Ｃ１５に記載の方法。
［Ｃ２２］
第２のＵＥに前記ＤＣＩメッセージを送信すること、ここにおいて、前記第２のＵＥは、前記少なくとも１つのＵＥによってモニタされたセルのグループの前記セットとは異なるセルのグループのセットをモニタする、をさらに備える、Ｃ１５に記載の方法。
［Ｃ２３］
前記ＤＣＩメッセージは、共通検索スペース内において送信される、Ｃ１５に記載の方法。
［Ｃ２４］
前記ＤＣＩメッセージは、セル内のダウンリンクサブフレームのセブセット内における前記ＵＥによってモニタされる、Ｃ１５に記載の方法。
［Ｃ２５］
ユーザ機器（ＵＥ）によるワイヤレス通信のための装置であって、
第１のセルについての第１のインデックスの構成を受信するための手段と、ここにおいて、前記第１のインデックスは、ダウンリンク制御情報（ＤＣＩ）メッセージ内における第１の位置にマッピングされる、
サブフレーム内において前記ＤＣＩメッセージを受信するための手段と、
前記第１のインデックスおよび前記ＤＣＩメッセージに基づいて、前記第１のセルについてのアップリンク（ＵＬ）／ダウンリンク（ＤＬ）サブフレーム構成のインジケーションを決定するための手段と、
前記第１のセルについての前記決定されたＵＬ／ＤＬサブフレーム構成に基づいて、前記第１のセルと通信するための手段と
を備える、装置。
［Ｃ２６］
第２のセルについての第２のインデックスの構成を受信するための手段、ここにおいて、前記第２のインデックスは、前記第１のインデックスと同じである、をさらに備える、Ｃ２５に記載の装置。
［Ｃ２７］
前記第１のセルおよび前記第２のセルは、同じ周波数帯域のものである、Ｃ２６に記載の装置。
［Ｃ２８］
基地局（ＢＳ）によるワイヤレス通信のための装置であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成するための手段と、
前記セルのグループのうちの少なくとも１つを使用して通信するように構成された少なくとも１つのＵＥに前記ＤＣＩメッセージを送信するための手段と
を備える、装置。
［Ｃ２９］
セルが動的に変化するＵＬ／ＤＬサブフレーム構成をサポートするかどうかを決定するための手段と、
前記セルが前記動的に変化するＵＬ／ＤＬサブフレーム構成をサポートする場合に前記セルをセルのグループに割り当てるための手段と
をさらに備える、Ｃ２８に記載の装置。
［Ｃ３０］
同時に同じ前記ＵＬ／ＤＬサブフレーム構成を使用するために同じ前記グループの全てのセルを構成するための手段をさらに備える、Ｃ２８に記載の装置。